(57)【要約】  【課題】サーバレスでインターカムシステムを実現する。  【解決手段】インターカム端末１は、送話要求をマルチキャスト送信して、自端末１を送話状態に移行させ、他のインターカム端末１から送話許可が送られてくるのを待つ。そして、所定時間内に送話許可を受信したならば、音声データをマルチキャスト送信する。一方、所定時間内に送話許可を受信しなかったならば、自端末１の送話状態を解除する。また、インターカム端末１は、送話要求を受信した場合、自端末１が受話状態でないならば、送話要求送信元のインターカム端末１に送話許可を返信して、自端末１を受話状態に移行させる。そして、このインターカム端末１からの音声データを受信する。一方、自端末１が受話状態である場合、送話要求送信元のインターカム端末１に送話拒否を返信する。【選択図】図２
2019097079.tif 000002
【特許請求の範囲】
【請求項１】
インターカムによる通話を行うインターカム端末であって、
ユーザの送話操作に従い、送話要求をマルチキャスト送信して、自端末を送話状態に移行させ、当該送話要求を送信してから所定時間内に送話許可を受信しなかった場合に、自端末の前記送話状態を解除する送話要求手段と、
前記送話要求手段により前記送話要求が送信されてから前記所定時間内に前記送話許可を受信した場合に、音声データをマルチキャスト送信する音声データ送信手段と、
他のインターカム端末からマルチキャスト送信された送話要求を受信した場合に、自端末が受話状態でないならば、当該他のインターカム端末に送話許可を返信して、自端末を前記受話状態に移行させ、自端末が前記受話状態であるならば、当該他のインターカム端末に送話拒否を返信する送話要求応答手段と、
自端末が前記受話状態である場合に、前記送話要求応答手段により返信した前記送話許可の返信先である前記他のインターカム端末からマルチキャスト送信された音声データを受信する音声データ受信手段と、を備えている
ことを特徴とするインターカム端末。
【請求項２】
請求項１に記載のインターカム端末であって、
前記送話要求応答手段は、
前記他のインターカム端末からマルチキャスト送信された前記送話要求を受信した場合に、自端末が前記送話状態であるならば、前記送話要求手段により前記送話要求が送信されてから前記所定時間内に前記送話許可を受信しなかった場合には、当該他のインターカム端末に前記送話許可を返信し、前記送話許可を受信した場合には、当該他のインターカム端末に前記送話拒否を返信する
ことを特徴とするインターカム端末。
【請求項３】
請求項１または２に記載のインターカム端末であって、
前記音声データ受信手段は、
自端末が前記受話状態である場合に、前記送話要求応答手段により返信した前記送話拒否の返信先である前記他のインターカム端末からマルチキャスト送信された音声データを破棄する
ことを特徴とするインターカム端末。
【請求項４】
請求項１ないし３のいずれか一項に記載のインターカム端末であって、
自端末が前記送話状態である場合に、ユーザからの終話操作に従い、終話要求をマルチキャスト送信して、自端末の前記送話状態を解除する終話要求手段と、
自端末が前記受話状態である場合に、前記送話要求応答手段により返信した前記送話許可の返信先である前記他のインターカム端末からマルチキャスト送信された終話要求を受信したならば、自端末の前記受話状態を解除する終話要求処理手段と、をさらに備えている
ことを特徴とするインターカム端末。
【請求項５】
コンピュータで読み取り可能なプログラムであって、
前記プログラムは、
前記コンピュータをインターカムによる通話を行うインターカム端末として機能させ、
前記インターカム端末は、
ユーザの送話操作に従い、送話要求をマルチキャスト送信して、自端末を送話状態に移行させ、当該送話要求を送信してから所定時間内に送話許可を受信しなかった場合に、自端末の前記送話状態を解除する送話要求手段と、
前記送話要求手段により前記送話要求が送信されてから前記所定時間内に前記送話許可を受信した場合に、音声データをマルチキャスト送信する音声データ送信手段と、
他のインターカム端末からマルチキャスト送信された送話要求を受信した場合に、自端末が受話状態でないならば、当該他のインターカム端末に送話許可を返信して、自端末を前記受話状態に移行させ、自端末が前記受話状態であるならば、当該他のインターカム端末に送話拒否を返信する送話要求応答手段と、
自端末が前記受話状態である場合に、前記送話要求応答手段により返信した前記送話許可の返信先である前記他のインターカム端末からマルチキャスト送信された音声データを受信する音声データ受信手段と、を備えている
ことを特徴とするコンピュータで読み取り可能なプログラム。
【請求項６】
複数のインターカム端末間でインターカムによる通話を行うインターカム通話方法であって、
ユーザから送話操作を受け付けた前記インターカム端末は、
送話要求をマルチキャスト送信して、自端末を送話状態に移行させ、他のインターカム端末から送話許可が送られてくるのを待ち、
前記送話要求を送信してから所定時間内に前記送話許可を受信したならば、音声データをマルチキャスト送信する一方、当該所定時間内に前記送話許可を受信しなかったならば、自端末の前記送話状態を解除し、
前記送話要求を受信した前記インターカム端末は、
自端末が受話状態でないならば、当該送話要求の送信元の前記インターカム端末に前記送話許可を返信して、自端末を前記受話状態に移行させ、当該送話要求の送信元の前記インターカム端末からマルチキャスト送信された音声データを受信し、
一方、自端末が前記受話状態であるならば、当該送話要求の送信元の前記インターカム端末に送話拒否を返信する
ことを特徴とするインターカム通話方法。
【発明の詳細な説明】
【技術分野】
【０００１】
本発明は、インターカムによる通話を行うインターカム端末に関する。
【背景技術】
【０００２】
特許文献１には、一斉呼出し機能を有するＩＰ（Ｉｎｔｅｒｎｅｔ  Ｐｒｏｔｏｃｏｌ）電話システムが開示されている。このＩＰ電話システムにおいて、主装置は、端末から一斉呼出し発信要求を受信した場合に、メディアスイッチに発信要求元の端末のアドレスを通知するとともに、発信要求元の端末にメディアスイッチのアドレスを通知する。また、主装置は、マルチキャストグループのアドレスを、マルチキャストグループに属する各端末に通知する。発信要求元の端末は、主装置から受信したメディアスイッチのアドレスに従い、メディアスイッチにユニキャストパケットの音声データを送信する。メディアスイッチは、発信要求元の端末から受信したユニキャストパケットの音声データを、マルチキャストパケットの音声データに変換してマルチキャストグループに転送する。そして、マルチキャストグループに属する各端末は、主装置から受信したマルチキャストグループのアドレスを用いて、メディアスイッチが転送したマルチキャストパケットの音声データを受信する。
【先行技術文献】
【特許文献】
【０００３】
【特許文献１】特開２００４−３２０２９０号公報
【発明の概要】
【発明が解決しようとする課題】
【０００４】
特許文献１に記載のＩＰ電話システムは、送信側の端末の音声データを複数の受信側の端末に一斉送信するインターカムシステムに利用することができる。
【０００５】
しかしながら、特許文献１に記載のＩＰ電話システムは、サーバとして主装置およびメディアスイッチを含むため、その分、インターカムシステムに利用する場合のコストが高くなる。
【０００６】
本発明は上記事情に鑑みてなされたものであり、本発明の目的は、サーバレスでインターカムシステムを実現することにある。
【課題を解決するための手段】
【０００７】
上記課題を解決するために、本発明において、インターカム端末は、送話要求をマルチキャスト送信して、自端末を送話状態に移行させ、他のインターカム端末から送話許可が送られてくるのを待つ。そして、所定時間内に送話許可を受信したならば、音声データをマルチキャスト送信する。一方、所定時間内に送話許可を受信しなかったならば、自端末の送話状態を解除する。また、インターカム端末は、送話要求を受信した場合、自端末が受話状態でないならば、送話要求送信元のインターカム端末に送話許可を返信して、自端末を受話状態に移行させる。そして、このインターカム端末からの音声データのみを受信する。一方、自端末が受話状態である場合、送話要求送信元のインターカム端末に送話拒否を返信する。
【０００８】
例えば、本発明は、
インターカムによる通話を行うインターカム端末であって、
ユーザの送話操作に従い、送話要求をマルチキャスト送信して、自端末を送話状態に移行させ、当該送話要求を送信してから所定時間内に送話許可を受信しなかった場合に、自端末の前記送話状態を解除する送話要求手段と、
前記送話要求手段により前記送話要求が送信されてから前記所定時間内に前記送話許可を受信した場合に、音声データをマルチキャスト送信する音声データ送信手段と、
他のインターカム端末からマルチキャスト送信された前記送話要求を受信した場合に、自端末が受話状態でないならば、当該他のインターカム端末に前記送話許可を返信して、自端末を前記受話状態に移行させ、自端末が前記受話状態であるならば、当該他のインターカム端末に送話拒否を返信する送話要求応答手段と、
自端末が前記受話状態である場合に、前記送話要求応答手段により返信した前記送話許可の返信先である前記他のインターカム端末からマルチキャスト送信された音声データを受信する音声データ受信手段と、を備えている。
【発明の効果】
【０００９】
本発明において、送話要求をマルチキャスト送信したインターカム端末は、送話要求をマルチキャスト送信してから所定時間内に送話許可を受信した場合にのみ、音声データをマルチキャスト送信し、送話要求を受信したインターカム端末は、自端末が受話状態でない場合に、送話要求送信元のインターカム端末に送話許可を返信して、このインターカム端末からマルチキャスト送信された音声データを受信する。したがって、本発明によれば、送信側の端末の音声データを複数の受信側の端末に一斉送信するインターカムシステムをサーバレスで実現することができる。
【図面の簡単な説明】
【００１０】
【図１】図１は、本発明の一実施の形態に係るインターカムシステムの概略構成図である。
【図２】図２は、本発明の一実施の形態に係るインターカムシステムの第１の動作例を説明するためのシーケンス図である。
【図３】図３は、本発明の一実施の形態に係るインターカムシステムの第２の動作例を説明するためのシーケンス図である。
【図４】図４は、本発明の一実施の形態に係るインターカムシステムの第２の動作例を説明するためのシーケンス図であり、図３の続きである。
【図５】図５は、本発明の一実施の形態に係るインターカムシステムの第３の動作例を説明するためのシーケンス図である。
【図６】図６は、本発明の一実施の形態に係るインターカムシステムの第３の動作例を説明するためのシーケンス図であり、図５の続きである。
【図７】図７は、インターカム端末１の概略機能構成図である。
【図８】図８は、インターカム端末１の送話処理を説明するためのフロー図である。
【図９】図９は、インターカム端末１の受話処理を説明するためのフロー図である。
【発明を実施するための形態】
【００１１】
以下に、本発明の一実施の形態について図面を参照して説明する。
【００１２】
図１は、本実施の形態に係るインターカムシステムの概略構成図である。
【００１３】
図示するように、本実施の形態に係るインターカムシステムは、複数台のインターカム端末１−１〜１−４（以下、単に、インターカム端末１とも呼ぶ）が、少なくとも１台の無線アクセスポイント（無線ＡＰ）２とリピータハブ、スイッチングハブ等のネットワーク中継器３とを介して、相互接続されて構成されている。
【００１４】
図２は、本実施の形態に係るインターカムシステムの第１の動作例を説明するためのシーケンス図である。
【００１５】
インターカム端末１−１が、ユーザから送話操作を受け付けたものとする（Ｓ１００）。これを受けて、インターカム端末１−１は、送話要求をマルチキャスト送信し（Ｓ１０１）、自端末１−１を送話状態に移行させる（Ｓ１０２）。
【００１６】
インターカム端末１−２〜１−４は、インターカム端末１−１からマルチキャスト送信された送話要求を受信すると、自端末１−２〜１−４が送話状態および受話状態のいずれでもないことを確認し、インターカム端末１−１に送話許可を返信する（Ｓ１０３〜Ｓ１０５）。それから、自端末１−２〜１−４を受話状態に移行させる（Ｓ１０６〜Ｓ１０８）。
【００１７】
つぎに、インターカム端末１−１は、送話要求をマルチキャスト送信してから所定時間Ｔ内に送話許可を受信したならば、マイクに入力されたユーザの音声データをマルチキャスト送信する（Ｓ１０９）。そして、インターカム端末１−２〜１−４は、送話許可の返信先であるインターカム端末１−１からマルチキャスト送信された音声データを受信して再生する（Ｓ１１０〜Ｓ１１２）。
【００１８】
その後、インターカム端末１−１が、ユーザから終話操作を受け付けたものとする（Ｓ１１３）。これを受けて、インターカム端末１−１は、終話要求をマルチキャスト送信し（Ｓ１１４）、自端末１−１の送話状態を解除する（Ｓ１１５）。
【００１９】
インターカム端末１−２〜１−４は、インターカム端末１−１からマルチキャスト送信された終話要求を受信すると、インターカム端末１−１に終話許可を送信する（Ｓ１１６〜Ｓ１１８）。それから、自端末１−２〜１−４の受話状態を解除する（Ｓ１１９〜Ｓ１２１）。
【００２０】
図３および図４は、本実施の形態に係るインターカムシステムの第２の動作例を説明するためのシーケンス図である。
【００２１】
インターカム端末１−１、１−４が、ほぼ同時にそれぞれのユーザから送話操作を受け付けたものとする（Ｓ１３０、Ｓ１３１）。これを受けて、インターカム端末１−１、１−４は、送話要求をマルチキャスト送信し（Ｓ１３２、Ｓ１３３）、自端末１−１、１−４を送話状態に移行させる（Ｓ１３４、Ｓ１３５）。
【００２２】
ここで、インターカム端末１−１の送話要求がインターカム端末１−４の送話要求よりも先にインターカム端末１−２、１−３に到着するとともに、インターカム端末１−４の送話状態への移行後に、インターカム端末１−１の送話要求がインターカム端末１−４に到着し、かつインターカム端末１−１の送話状態への移行後に、インターカム端末１−４の送話要求がインターカム端末１−１に到着したものとする。
【００２３】
インターカム端末１−２、１−３は、インターカム端末１−１からマルチキャスト送信された送話要求を受信すると、自端末１−２、１−３が送話状態および受話状態のいずれでもないことを確認し、インターカム端末１−１に送話許可を返信する（Ｓ１３６、Ｓ１３７）。それから、自端末１−２、１−３を受話状態に移行させる（Ｓ１３８、Ｓ１３９）。
【００２４】
また、インターカム端末１−４は、インターカム端末１−１からマルチキャスト送信された送話要求を受信すると、自端末１−４が送話状態であることを確認し、自端末１−４が送話要求をマルチキャスト送信してから所定時間Ｔを経過するまで、インターカム端末１−１への返信を留保する。同様に、インターカム端末１−１は、インターカム端末１−４からマルチキャスト送信された送話要求を受信すると、自端末１−１が送話状態であることを確認し、自端末１−１が送話要求をマルチキャスト送信してから所定時間Ｔを経過するまで、インターカム端末１−４への返信を留保する。
【００２５】
つぎに、インターカム端末１−２、１−３は、インターカム端末１−４からマルチキャスト送信された送話要求を受信すると、自端末１−２、１−３が受話状態であることを確認し、インターカム端末１−４に送話拒否を返信する（Ｓ１４０、Ｓ１４１）。
【００２６】
つぎに、インターカム端末１−１は、自端末１−１が送話要求をマルチキャスト送信してから所定時間Ｔ内に送話許可を受信したことを確認し、インターカム端末１−４に送話拒否を返信する（Ｓ１４２）。
【００２７】
一方、インターカム端末１−４は、自端末１−４が送話要求をマルチキャスト送信してから所定時間Ｔ内に送話許可を受信できなかったことを確認し、自端末１−４の送話状態を解除する（Ｓ１４３）。それから、インターカム端末１−１に送話許可を返信して（Ｓ１４４）、自端末１−４を受話状態に移行させる（Ｓ１４５）。
【００２８】
つぎに、インターカム端末１−１は、マイクに入力されたユーザの音声データをマルチキャスト送信する（Ｓ１４６）。そして、インターカム端末１−２〜１−４は、送話許可の返信先であるインターカム端末１−１からマルチキャスト送信された音声データを受信して再生する（Ｓ１４７〜Ｓ１４９）。
【００２９】
その後、インターカム端末１−１が、ユーザから終話操作を受け付けたものとする（Ｓ１５０）。これを受けて、インターカム端末１−１は、終話要求をマルチキャスト送信し（Ｓ１５１）、自端末１−１の送話状態を解除する（Ｓ１５２）。
【００３０】
インターカム端末１−２〜１−４は、インターカム端末１−１からマルチキャスト送信された終話要求を受信すると、インターカム端末１−１に終話許可を返信する（Ｓ１５３〜Ｓ１５５）。それから、自端末１−２〜１−４の受話状態を解除する（Ｓ１５６〜Ｓ１５８）。
【００３１】
図５および図６は、本実施の形態に係るインターカムシステムの第３の動作例を説明するためのシーケンス図である。
【００３２】
インターカム端末１−１、１−４が、ほぼ同時にそれぞれのユーザから送話操作を受け付けたものとする（Ｓ１６０、Ｓ１６１）。これを受けて、インターカム端末１−１、１−４は、送話要求をマルチキャスト送信し（Ｓ１６２、Ｓ１６３）、自端末１−１、１−４を送話状態に移行させる（Ｓ１６４、Ｓ１６５）。
【００３３】
ここで、インターカム端末１−１の送話要求がインターカム端末１−４の送話要求よりも先にインターカム端末１−２に到着する一方、インターカム端末１−４の送話要求がインターカム端末１−１の送話要求よりも先にインターカム端末１−３に到着したものとする。また、インターカム端末１−４の送話状態への移行後に、インターカム端末１−１の送話要求がインターカム端末１−４に到着するとともに、インターカム端末１−１の送話状態への移行後に、インターカム端末１−４の送話要求がインターカム端末１−１に到着したものとする。
【００３４】
インターカム端末１−２は、インターカム端末１−１からマルチキャスト送信された送話要求を受信すると、自端末１−２が送話状態および受話状態のいずれでもないことを確認し、インターカム端末１−１に送話許可を返信して（Ｓ１６６）、自端末１−２を受話状態に移行させる（Ｓ１６８）。一方、インターカム端末１−３は、インターカム端末１−４からマルチキャスト送信された送話要求を受信すると、自端末１−３が送話状態および受話状態のいずれでもないことを確認し、インターカム端末１−４に送話許可を返信して（Ｓ１６７）、自端末１−３を受話状態に移行させる（Ｓ１６９）。
【００３５】
つぎに、インターカム端末１−２は、インターカム端末１−４からマルチキャスト送信された送話要求を受信すると、自端末１−２が受話状態であることを確認し、インターカム端末１−４に送話拒否を返信する（Ｓ１７０）。一方、インターカム端末１−３は、インターカム端末１−１からマルチキャスト送信された送話要求を受信すると、自端末１−３が受話状態であることを確認し、インターカム端末１−１に送話拒否を返信する（Ｓ１７１）。
【００３６】
また、インターカム端末１−１は、インターカム端末１−４からマルチキャスト送信された送話要求を受信すると、自端末１−１が送話状態であることを確認し、自端末１−１が送話要求をマルチキャスト送信してから所定時間Ｔを経過するまで、インターカム端末１−４への返信を留保する。同様に、インターカム端末１−４は、インターカム端末１−１からマルチキャスト送信された送話要求を受信すると、自端末１−４が送話状態であることを確認し、自端末１−４が送話要求をマルチキャスト送信してから所定時間Ｔを経過するまで、インターカム端末１−１への返信を留保する。
【００３７】
つぎに、インターカム端末１−１は、自端末１−１が送話要求をマルチキャスト送信してから所定時間Ｔ内に送話許可を受信したことを確認し、インターカム端末１−４に送話拒否を返信する（Ｓ１７２）。同様に、インターカム端末１−４は、自端末１−４が送話要求をマルチキャスト送信してから所定時間Ｔ内に送話許可を受信したことを確認し、インターカム端末１−１に送話拒否を返信する（Ｓ１７３）。
【００３８】
つぎに、インターカム端末１−１は、マイクに入力されたユーザの音声データをマルチキャスト送信する（Ｓ１７４）。これを受けて、インターカム端末１−２は、送話許可の返信先であるインターカム端末１−１からマルチキャスト送信された音声データを受信して再生する（Ｓ１７５）。一方、インターカム端末１−３、１−４は、送話拒否の返信先であるインターカム端末１−１からマルチキャスト送信された音声データを再生することなく破棄する（Ｓ１７６、Ｓ１７７）。
【００３９】
同様に、インターカム端末１−４は、マイクに入力されたユーザの音声データをマルチキャスト送信する（Ｓ１７８）。これを受けて、インターカム端末１−３は、送話許可の返信先であるインターカム端末１−４からマルチキャスト送信された音声データを受信して再生する（Ｓ１７９）。一方、インターカム端末１−１、１−２は、送話拒否の返信先であるインターカム端末１−１からマルチキャスト送信された音声データを再生することなく破棄する（Ｓ１８０、Ｓ１８１）。
【００４０】
その後、インターカム端末１−１が、ユーザから終話操作を受け付けたものとする（Ｓ１８２）。これを受けて、インターカム端末１−１は、終話要求をマルチキャスト送信し（Ｓ１８３）、自端末１−１の送話状態を解除する（Ｓ１８４）。
【００４１】
インターカム端末１−２は、送話許可の返信先であるインターカム端末１−１からマルチキャスト送信された終話要求を受信すると、インターカム端末１−１に終話許可を返信して（Ｓ１８５）、自端末１−２の受話状態を解除する（Ｓ１８６）。一方、インターカム端末１−３、１−４は、送話拒否の返信先であるインターカム端末１−１からマルチキャスト送信された終話要求を無視する。
【００４２】
つぎに、インターカム端末１−４が、ユーザから終話操作を受け付けたものとする（Ｓ１８７）。これを受けて、インターカム端末１−４は、終話要求をマルチキャスト送信し（Ｓ１８８）、自端末１−４の送話状態を解除する（Ｓ１８９）。
【００４３】
インターカム端末１−３は、送話許可の返信先であるインターカム端末１−４からマルチキャスト送信された終話要求を受信すると、インターカム端末１−１に終話許可を返信して（Ｓ１９０）、自端末１−３の受話状態を解除する（Ｓ１９１）。一方、インターカム端末１−１、１−２は、送話拒否の返信先であるインターカム端末１−４からマルチキャスト送信された終話要求を無視する。
【００４４】
つぎに、インターカム端末１の詳細を説明する。
【００４５】
図７は、インターカム端末１の概略機能構成図である。
【００４６】
図示するように、インターカム端末１は、無線インターフェース部１０と、マンマシンインターフェース部１１と、状態管理部１２と、送話・終話要求部１３と、送話・終話要求応答部１４と、音声データ送信部１５と、音声データ受信部１６と、音声制御部１７と、を備えている。
【００４７】
無線インターフェース部１０は、無線アクセスポイント２と無線通信を行うためのインターフェースである。
【００４８】
マンマシンインターフェース部１１は、ユーザがインターカムシステムを利用するためのインターフェースであり、タッチパネル等の入力装置と、液晶ディスプレイ等の表示装置と、マイクと、スピーカと、を有している。
【００４９】
状態管理部１２は、自端末１の状態を管理する。
【００５０】
送話・終話要求部１３は、マンマシンインターフェース部１１を介してユーザより受け付けた操作に従い、送話要求あるいは終話要求を無線インターフェース部１０からマルチキャスト送信する。また、状態管理部１２が管理する自端末１の状態を更新する。
【００５１】
送話・終話要求応答部１４は、無線インターフェース部１０を介して、他のインターカム端末１からマルチキャスト送信された送話要求あるいは終話要求を受信して、この要求に対する応答を返信する。また、状態管理部１２が管理する自端末１の状態を更新する。
【００５２】
音声データ送信部１５は、状態管理部１２で管理されている自端末１の状態が送話状態である場合に、音声制御部１７より受け取った音声データを無線インターフェース部１０からマルチキャスト送信する。
【００５３】
音声データ受信部１６は、状態管理部１２で管理されている自端末１の状態が受話状態である場合に、無線インターフェース部１０を介して、送話許可の返信先である他のインターカム端末１からマルチキャスト送信された音声データを受信する。
【００５４】
音声制御部１７は、音声データ受信部１６により受信された音声データを音声信号に再生してマンマシンインターフェース部１１のスピーカから出力する。また、マンマシンインターフェース部１１のマイクに入力された音声信号を音声データに符号化して音声データ送信部１５に渡す。
【００５５】
図８は、インターカム端末１の送話処理を説明するためのフロー図である。
【００５６】
このフローは、マンマシンインターフェース部１１がユーザより送話操作を受け付けることにより開始される。
【００５７】
まず、送話・終話要求部１３は、状態管理部１２を参照して、自端末１が受話状態あるいは送話状態であるか否かを判断する（Ｓ２００）。受話状態あるいは送話状態であるならば（Ｓ２００でＹＥＳ）、送話・終話要求部１３は、自端末１が受話中あるいは送話中である旨のメッセージをマンマシンインターフェース部１１から出力するなどの所定のエラー処理を実施し（Ｓ２１２）、このフローを終了する。
【００５８】
一方、受話状態および送話状態のいずれでもないならば（Ｓ２００でＮＯ）、送話・終話要求部１３は、無線インターフェース部１０から送話要求をマルチキャスト送信して（Ｓ２０１）、状態管理部１２で管理されている自端末１の状態を送話状態に移行させる（Ｓ２０２）。それから、送話・終話要求部１３は、無線インターフェース部１０を介して他のインターカム端末１から送話要求に対する応答（送話許可および送話拒否のいずれか）を受信する（Ｓ２０３）。
【００５９】
その後、送話・終話要求部１３は、送話要求をマルチキャスト送信してから所定時間Ｔの経過を待つ（Ｓ２０４）。そして、この所定時間Ｔ内に他のインターカム端末１から受信した応答のなかに送話許可が含まれているか否かを判断する（Ｓ２０５）。送話許可が含まれていないならば（Ｓ２０５でＮＯ）、すなわち、他のインターカム端末１から受信した応答がすべて送話拒否であるならば、送話・終話要求部１３は、状態管理部１２で管理されている自端末１の送話状態を解除するとともに（Ｓ２１３）、受話可能なインターカム端末１が存在しない旨のメッセージをマンマシンインターフェース部１１から出力するなどの所定のエラー処理を実施し（Ｓ２１４）、このフローを終了する。
【００６０】
一方、送話許可が含まれているならば（Ｓ２０５でＮＯ）、送話・終話要求部１３は、受話側のインターカム端末１（特に、図３に示すインターカム端末１−４のような、送話状態を解除して受話状態に移行するインターカム端末１）のために所定の準備時間の経過を待ち、それから、マンマシンインターフェース部１１のマイクをオンにする。これにより、音声データの送信が開始する（Ｓ２０６）。
【００６１】
すなわち、音声制御部１７は、マンマシンインターフェース部１１のマイクに入力された音声信号を音声データに符号化して音声データ送信部１５に渡す。これを受けて、音声データ送信部１５は、状態管理部１２で管理されている自端末１の状態が送話状態であることを確認し、音声制御部１７より受け取った音声データを無線インターフェース部１０からマルチキャスト送信する。
【００６２】
その後、マンマシンインターフェース部１１がユーザより終話操作を受け付けると（Ｓ２０７でＹＥＳ）、送話・終話要求部１３は、状態管理部１２で管理されている自端末１の送話状態を解除して（Ｓ２０８）、マンマシンインターフェース部１１のマイクをオフにする。また、無線インターフェース部１０から終話要求をマルチキャスト送信する（Ｓ２０９）。これにより、音声データの送信が終了する（Ｓ２１０）。
【００６３】
それから、送話・終話要求部１３は、無線インターフェース部１０を介して他のインターカム端末１から終話許可を受信して（Ｓ２１１）、このフローを終了する。
【００６４】
図９は、インターカム端末１の受話処理を説明するためのフロー図である。
【００６５】
このフローは、無線インターフェース部１０が他のインターカム端末１からマルチキャスト送信された送話要求を受信することにより開始される。
【００６６】
まず、送話・終話要求応答部１４は、状態管理部１２を参照して、自端末１が受話状態であるか否かを判断する（Ｓ３００）。受話状態であるならば（Ｓ３００でＹＥＳ）、送話・終話要求応答部１４は、無線インターフェース部１０を介して、送話要求の送信元である他のインターカム端末１に送話拒否を返信し（Ｓ３１１）、このフローを終了する。
【００６７】
一方、受話状態でないならば（Ｓ３００でＮＯ）、送話・終話要求応答部１４は、状態管理部１２を参照して、自端末１が送話状態であるか否かをさらに判断する（Ｓ３０１）。そして、送話状態でないならば（Ｓ３０１でＮＯ）、Ｓ３０４に進む。一方、送話状態であるならば（Ｓ３０１でＹＥＳ）、送話・終話要求応答部１４は、所定時間Ｔの経過を待つ（Ｓ３０２）。
【００６８】
つぎに、送話・終話要求応答部１４は、状態管理部１２を参照して、自端末１の送話状態が解除されたか否かを判断する（Ｓ３０３）。送話状態が解除されているならば（Ｓ３０３でＹＥＳ）、Ｓ３０４に進む。一方、送話状態が解除されていないならば（Ｓ３０３でＮＯ）、送話・終話要求応答部１４は、無線インターフェース部１０を介して、送話要求の送信元である他のインターカム端末１に送話拒否を返信し（Ｓ３１１）、このフローを終了する。
【００６９】
Ｓ３０４において、送話・終話要求応答部１４は、無線インターフェース部１０を介して、送話要求の送信元である他のインターカム端末１に送話許可を返信し、その後、状態管理部１２で管理されている自端末１の状態を、送話許可の返信先である他のインターカム端末１のアドレス情報に対応付けて受話状態に移行させ（Ｓ３０５）、マンマシンインターフェース部１１のスピーカをオンにする。これにより、音声データの受信が開始する（Ｓ３０６）。
【００７０】
すなわち、音声データ受信部１６は、状態管理部１２で管理されている自端末１の状態が受話状態であることを確認し、無線インターフェース部１０を介して、この受話状態に対応付けられているアドレス情報により特定される送話許可の返信先のインターカム端末１からマルチキャスト送信された音声データを受信する。そして、音声制御部１７は、音声データ受信部１６により受信された音声データを音声信号に再生して、マンマシンインターフェース部１１のスピーカから出力する。なお、音声データ受信部１６は、送話許可の返信先のインターカム端末１以外のインターカム端末１からマルチキャスト送信された音声データについては、これを受信することなく破棄する。
【００７１】
その後、送話・終話要求応答部１４は、無線インターフェース部１０を介して、状態管理部１２で管理されている受話状態に対応付けられているアドレス情報により特定される送話許可の返信先のインターカム端末１から終話要求を受信すると（Ｓ３０７でＹＥＳ）、無線インターフェース部１０を介して、このインターカム端末１に終話許可を返信する（Ｓ３０８）。
【００７２】
それから、送話・終話要求応答部１４は、状態管理部１２で管理されている自端末１の受話状態を解除して（Ｓ３０９）、マンマシンインターフェース部１１のスピーカをオフにする。これにより、音声データの受信が終了する（Ｓ３１０）。
【００７３】
以上、本発明の一実施の形態について説明した。
【００７４】
本実施の形態において、送話要求をマルチキャスト送信したインターカム端末１は、送話要求をマルチキャスト送信してから所定時間Ｔ内に送話許可を受信した場合にのみ、音声データをマルチキャスト送信し、送話要求を受信したインターカム端末１は、自端末１が受話状態でない場合に、送話要求送信元のインターカム端末１に送話許可を返信し、このインターカム端末１からマルチキャスト送信された音声データを受信する。したがって、本実施の形態によれば、インターカムシステムをサーバレスで実現することができる。
【００７５】
また、本実施の形態において、インターカム端末１は、他のインターカム端末１からマルチキャスト送信された送話要求を受信した場合、自端末１が送話状態であるならば、自端末１が送話要求を送信してから所定時間Ｔ内に送話許可を受信している場合に、送話要求送信元のインターカム端末１に送話拒否を返信し、受信していない場合には、送話許可を返信している。したがって、本実施の形態によれば、送話要求をマルチキャスト送信してから所定時間Ｔ内に、他のインターカム端末１から送話要求を受信した場合において、自端末１がマルチキャスト送信する音声データの受話相手がいないときには、この他のインターカム端末１からマルチキャスト送信された音声データを受信するので、送話も受話もできない事態が発生するのを防止することができる。
【００７６】
また、本実施の形態において、インターカム端末１は、自端末１が受話状態である場合に、送話許可の返信先のインターカム端末１からマルチキャスト送信された音声データのみを受信し、送話拒否の返信先のインターカム端末１からマルチキャスト送信された音声データを破棄している。このため、複数のインターカム端末１が同時に音声データをマルチキャスト送信する場合でも、混信することなく、一つのインターカム端末１からマルチキャスト送信された音声データを受信して再生することができる。
【００７７】
また、本実施の形態において、インターカム端末１は、自端末１が送話状態である場合に、ユーザからの終話操作に従い、終話要求をマルチキャスト送信して、自端末１の送話状態を解除し、自端末１が受話状態である場合に、送話許可の返信先のインターカム端末１からマルチキャスト送信された終話要求を受信したならば、自端末１の受話状態を解除する。したがって、本実施の形態によれば、送話状態あるいは受話状態が不必要に続いて、新たな送話あるいは受話ができなくなるのを防止することができる。
【００７８】
なお、本発明は上記の各実施の形態に限定されるものではなく、その要旨の範囲内で数々の変形が可能である。
【００７９】
例えば、上記の実施の形態において、図８のＳ２０４および図９のＳ３０２における所定時間Ｔを短く設定して、インターカムシステムのレスポンスを向上させることが考えられる。しかし、この所定時間Ｔを短くし過ぎると、図８のＳ２０４において、ネットワークの遅延等により他のインターカム端末１から送話許可を受信することなくタイムアウトして、送話状態が解除されてしまう可能性がある。この場合、送話許可を送信した他のインターカム端末１は、受話状態に移行しても、音声データを受信できない。これを防止するために、図８において、Ｓ２０４を省略し、何れか１つのインターカム端末１からの送話許可を受信することで送話状態に移行して音声データの送信を開始し、その後、所定時間Ｔ毎に送話要求を送信することで、他のインターカム端末１も受話状態に移行できるようにしてもよい。
【００８０】
また、上記の実施の形態において、図７に示すインターカム端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵ、メモリ、フラッシュメモリ等の補助記憶装置、および無線アダプタ等の通信インターフェースを備えたスマートフォン、タブレットＰＣ等の携帯端末において、ＣＰＵが所定のプログラムを補助記憶装置からメモリ上にロードして実行することで実現されるものでもよい。
【符号の説明】
【００８１】
１、１−１〜１−４：インターカム端末    ２：無線アクセスポイント    ３：ネットワーク中継器    １０：無線インターフェース部    １１：マンマシンインターフェース部    １２：状態管理部    １３：送話・終話要求部    １４：送話・終話要求応答部    １５：音声データ送信部    １６：音声データ受信部    １７：音声制御部
【図１】
2019097079.tif 000003
【図２】
2019097079.tif 000004
【図３】
2019097079.tif 000005
【図４】
2019097079.tif 000006
【図５】
2019097079.tif 000007
【図６】
2019097079.tif 000008
【図７】
2019097079.tif 000009
【図８】
2019097079.tif 000010
【図９】
2019097079.tif 000011